(57)【要約】【課題】デジタルカメラなどの撮影画像をファックス送信する場合に見出しなどの送信案内票を自動的に付加して、送信する。【解決手段】今からカラーデータで色空間がｓＹＣＣのカラー画像を送信する場合に（ステップＳＴ１、ＳＴ２）、画像ファイル中から実カラー画像以外の種々のデータを抜き出して送信案内票を作成する（ステップＳＴ４）。その後、宛先にダイヤルインして（ステップＳＴ５）、ＣＮＧ信号を送信してＤＩＳ信号を受信し（ステップＳＴ６、ＳＴ８）、相手にカラー受信能力有りの場合に（ステップＳＴ９）、作成した送信案内票を送信する（ステップＳＴ１４）。【選択図】      図２
2004165863.tif 000002
【特許請求の範囲】
【請求項１】
読み取り入力したｓＹＣＣ−ＪＰＥＧ画像データを記憶するカラー画像記憶部と、通信回線よりカラー画像データを送信するカラー画像送信部と、前記記憶したｓＹＣＣ−ＪＰＥＧ画像データに含まれる実画像データ以外の種々の情報を抽出する手段とを備え、実画像データを送信する前に、前記抽出した種々の情報を画像に変換して、送信するようにしたことを特徴とするカラー画像送信装置。
【請求項２】
前記実画像データは、複数枚の画像を一度で送信する場合に、前記抽出した情報に、前記複数枚の枚数データを含むことを特徴とする請求項１記載のカラー画像送信装置。
【発明の詳細な説明】
【０００１】
【発明の属する技術分野】
この発明は、カラー画像通信機能を有するファクシミリ装置、複合機等のカラー画像送信装置に関する。
【０００２】
【従来の技術】
一般に、カラー読み取り装置を送受信するカラーファクシミリには、他の装置、例えばデジタルカメラで撮影した画像データを通信回線を介してファクシミリ電送できるものがある。従来、デジタルカメラ等の画像データをファックス伝送するために、デジタルカメラの記憶メディアのスロットを、ファクシミリ装置に装備し、デジタルカメラ等で撮影したＹＣｂ  Ｃｒ  −ＪＰＥＧ画像データを、記録メディアから一旦メモリに読み出し、これをファクシミリ装置のメモリにＲＧＢ画像データとして展開した後、画像データの横幅が所定画素数になるように白画素を付加してから、再度Ｌａｂ−ＪＰＥＧ画像データに圧縮し、順次Ｔ８１にしたがって送信する技術が提案されている（例えば、特許文献１参照）。
【０００３】
また、ファクシミリ装置において、送信案内文用の宛先名称、発信元名称等の書き込み欄（フォーマット）や「よろしくお願いします」、「敬具」などの定形的な文章を、データとして予め記憶しておき、送信案内文を送信する時に、キー入力手段による入力によって、データの空白部分を埋めて、送信案内文を作成する技術も提案されている（例えば、特許文献２参照）。
【０００４】
【特許文献１】
特開２００１−２８５６４７号公報
【０００５】
【特許文献２】
特開平６−３０１６２号公報
【０００６】
【発明が解決しようとする課題】
上記した従来のカラーファクシミリ装置において、デジタルカメラで撮影した画像データを送信するとき、そのまま伝送した場合、相手先で撮影画像がどのような状況で誰が撮影したのか分からない場合もあり得る。そこで、撮影画像を送信する場合に、送信者が見出しとして案内文を作成して撮影画像の前に付加して、送信することが考えられるが、送信者が作成するのは面倒であるという問題がある。また、特許文献２の技術のように、案内文のフォーマットや定形文を予め記憶しておき、送信案内文を作成しても良いが、各固有のデータはキー入力する必要がある。
【０００７】
この発明は上記問題点に着目してなされたものであって、デジタルカメラなどの撮影画像をファックス送信する場合に、見出しなどの送信案内票を自動的に付加して、送信し得るカラー画像送信装置を提供することを目的としている。
【０００８】
【課題を解決するための手段】
この発明のカラー画像送信装置は、読み取り入力したｓＹＣＣ−ＪＰＥＧ画像データを記憶するカラー画像記憶部と、通信回線よりカラー画像データを送信するカラー画像送信部と、前記記憶したｓＹＣＣ−ＪＰＥＧ画像データに含まれる実画像データ以外の種々の情報を抽出する手段とを備え、実画像データを送信する前に、前記抽出した種々の情報を画像に変換して、送信するようにしている。
【０００９】
この発明のカラー画像送信装置では、ｓＹＣＣ−ＪＰＥＧ画像データに含まれる画像データ以外の種々の情報、具体例として、撮影者、撮影時刻、撮影機などを抽出して、画像に変換して送信案内票として送信するため、オペレータは送信時に案内票のための入力をする手間を省くことができる。
【００１０】
この発明のカラー画像送信装置において、前記実画像データは、複数枚の画像を一度で送信する場合に、前記抽出した情報に、前記複数枚の枚数データを付加して送信することができる。
【００１１】
【発明の実施の形態】
以下、実施の形態により、この発明を更に詳細に説明する。図１に、この発明の実施形態カラー画像送信装置全体の概略構成を示すブロック図を示す。
【００１２】
この実施形態カラー画像送信装置は、ファクシミリ機能とコピー機能とを備えたいわゆるカラー複合機として構成したもので、主制御部１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１３】
主制御部（ＣＰＵ）１は、この装置を構成する各部を制御する機能を有する。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１４】
ＲＯＭ４は、この装置を制御するためのプログラムを記憶する。ＲＡＭ５は、データ等を一時的に記憶する。このＲＡＭ５には、ｓＹＣＣ−ＪＰＥＧファイル記憶用に割り当てられる記憶部５ａを備えている。
【００１５】
画像メモリ６は、受信画像データや画像読取部９で読み取った画像データを一時的に記憶する。表示部（ＬＣＤ）７は、アイコン、キーボタンの表示や、データの送受信に必要なメッセージ内容等を表示する。操作部８はワンタッチキー、登録キー、ＦＡＸモード・コピーモード・スキャナモード等の複数の動作モードについてのモード切り替えを行うための動作モード切替キー、テンキー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。
【００１６】
ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからＪＰＥＧファイル等のデータ転送の要求を受けると、記憶部５ａのＪＰＥＧ画像データをＬＡＮＩ／Ｆ１２、ＬＡＮ１５を介して、外部ＰＣに転送する。
【００１７】
デジタルカメラ等で撮影されたカラー画像は、ｓＹＣＣ−ＪＰＥＧファイルとして、記憶部５ａに記憶されている。また、このｓＹＣＣ−ＪＰＥＧファイルはＲＡＭ５の記憶部５ａに代えて、主制御部１の制御のものとアクセス可能な他の記憶手段に記憶するものでも良い。
【００１８】
ｓＹＣＣ−ＪＰＥＧファイルＦＪは、図４に示すように、デジタルカメラで撮影された撮影画像（実画像）ＦＪ１と、撮影画像のサムネイルＦＪ２と、付加情報ＦＪ３とからなり、これらを含めてｓＹＣＣ−ＪＰＥＧファイルとしている。付加情報ＦＪ３としては、撮影者と撮影者に関連する情報、撮影時刻、撮影機の関連データなどが格納されている。
【００１９】
次に、この実施形態複合機の送信処理を図２、図３に示すフロー図を参照して説明する。この送信処理ルーチンに入ると、先ず、ステップＳＴ１において、今から送信するデータがカラーか否か判定する。カラーであれば、ステップＳＴ２へ移行する。一方、カラーでなければステップＳＴ５へ移行する。ステップＳＴ２においては、色空間はｓＹＣＣか否か判定する。ｓＹＣＣ色空間であれば、ステップＳＴ３へ移行する。一方、他色空間であれば、ステップＳＴ５へ移行する。
【００２０】
ステップＳＴ３においては、画像ファイル中の情報ｓＹＣＣ−ＪＰＥＧファイルＦＪの付加情報ＦＪ３から送信案内票を作成するか否か判定する。この送信案内票の要否判定は、オペレータが行う操作入力に基づいて行う。送信案内票を作成する場合には、ステップＳＴ４へ移行する。一方、送信案内票を作成しない場合は、ステップＳＴ５へ移行する。ステップＳＴ５においては、ダイヤルインする。そして、ステップＳＴ６へ移行する。ステップＳＴ６においては、ＣＮＧ（コーリングトーン）信号を送信する。次に、ステップＳＴ７へ移行する。
【００２１】
ステップＳＴ７においては、何らかの信号を受信したか否か判定する。何らかの信号を受信した場合には、ステップＳＴ８へ移行する。一方、何らかの信号も受信しない場合は、ステップＳＴ１２へ移行する。ステップＳＴ１２においては、Ｔ１タイムが経過（ＣＮＧ送信時にタイマＴ１起動）したか否か判定する。Ｔ１タイム経過までは、ステップＳＴ６へ戻り、ＣＮＧ信号を送信する。一方、Ｔ１タイムが経過すると、再ダイヤルする。
【００２２】
ステップＳＴ８においては、ＣＮＧ信号を受信した端末からＤＩＳ信号（デジタル識別信号）を受信したか否か判定する。ＤＩＳ信号を受信した場合には、ステップＳＴ９へ移行する。一方、ＤＩＳ信号の受信でない場合は、ステップＳＴ１２へ戻り、Ｔ１タイム経過となるまで、ステップＳＴ６へ戻り、ＣＮＧ信号を送信する。ステップＳＴ９においては、ＤＩＳ信号に基づいて、相手がカラー受信能力が有りか否かを判定する。相手がカラー受信能力を持つ場合は、ステップＳＴ１０へ移行する。一方、カラー受信能力を持たない場合は、従来のＦＡＸ手順処理へ移行する。
【００２３】
ステップＳＴ１０においては、ＤＣＳ信号（デジタル命令信号）を送信する。次に、ステップＳＴ１１へ移行する。ステップＳＴ１１においては、トレーニング送信を開始する。次に、ステップＳＴ１３へ移行する。ステップＳＴ１３においては、信号受信か否か判定する。信号受信判定の場合は、ステップＳＴ１４へ移行する。一方、信号を受信しない場合は、ステップＳＴ２１へ移行する。ステップＳＴ２１においては、トレーニング送信を３回試行か否か判定する。３回試行でない場合は、ステップＳＴ１０へ移行する。一方、３回試行を行った場合には、ステップＳＴ２２へ移行し、回線を断する。
【００２４】
ステップＳＴ１４においては、送信案内票を送信する。この場合は、モノクロ画像送信を行う。作成し、送信した送信案内票の一例を図５に示す。次に、ステップＳＴ１５へ移行する。ステップＳＴ１５においては、ＥＯＭ（ポストメッセージ）信号を送信する。続いて、ステップＳＴ１６へ移行する。ステップＳＴ１６においては、ＤＩＳ信号を受信したか否かを判定する。ＤＩＳ信号を受信の場合は、ステップＳＴ１７へ移行する。一方、ＤＩＳ信号を受信しない場合は、ステップＳＴ２３へ移行する。ステップＳＴ２３においては、Ｔ１タイムが経過したか否か判定する。Ｔ１タイムが経過するまでは、ステップＳＴ１６へ戻り、ＤＩＳ信号のの受信を待機する。一方、Ｔ１タイムが経過すると、ステップＳＴ２４へ移行し、回線を断する。ステップＳＴ１７においては、ＤＣＳ信号を送信する。そして、ステップＳＴ１８へ移行する。ステップＳＴ１８においては、トレーニング送信を行う。ステップＳＴ１６〜ＳＴ１８で、ＳＴ８〜ＳＴ１１と同様の処理を行うのは、カラー画像送信を行うために、もう一度ＤＩＳ信号の受信から処理するためである。続いて、ステップＳＴ１９へ移行する。
【００２５】
ステップＳＴ１９においては、相手先からのＣＦＲ信号（受信準備確認信号）を受信か否かを判定する。ＣＦＲ信号を受信の場合は、ステップＳＴ２０へ移行する。一方、ＣＦＲ信号受信でない場合は、ステップＳＴ２５へ移行する。ステップＳＴ２５においては、ＣＦＲ信号を受信しないまま、ステップＳＴ１７のＤＣＳ送信、ステップＳＴ１８のトレーニング送信を３回試行したか否かを判定する。３回試行でない場合は、ステップＳＴ１７へ戻る。そして再度、ＤＣＳ信号送信、トレーニング送信を行う。ＣＦＲ信号を受信しないまま、トレーニング送信を３回路試行すると、ステップＳＴ２へ移行し、回線断し、処理を終了する。ステップＳＴ２０においては、カラーデータ（ｓＹＣＣ−ＪＰＥＧ）を送信する。
【００２６】
【発明の効果】
この発明によれば、読み取り入力したｓＹＣＣ−ＪＰＥＧ画像データを記憶するカラー画像記憶部と、通信回線よりカラー画像データを送信するカラー画像送信部と、前記記憶したｓＹＣＣ−ＪＰＥＧ画像データに含まれる実画像データ以外の種々の情報を抽出する手段とを備え、実画像データを送信する前に、前記抽出した種々の情報を画像に変換して、送信するようにしているので、オペレータが手入力せずとも、簡単に送信案内票を添付して送信できる。
【図面の簡単な説明】
【図１】この発明のカラー画像送信装置の一実施形態である複合機の構成を示すブロック図である。
【図２】同実施形態複合機の送信処理を説明するためのフロー図である。
【図３】図２とともに、同実施形態複合機の送信処理を説明するためのフロー図である。
【図４】同実施形態複合機におけるｓＹＣＣ−ＪＰＥＧファイルの概略構成を示す図である。
【図５】同実施形態複合機で送信した送信案内票の一例を示す。
【符号の説明】
１        主制御部
２        ＮＣＵ
３        ＭＯＤＥＭ
４        ＲＯＭ
５        ＲＡＭ
６        画像メモリ
７        表示部
８        操作部
９        画像読取部
１０      画像記録部
１１      ＣＯＤＥＣ
１２      ＬＡＮＩ／Ｆ
１３      バス
１４      電話回線
１５      ＬＡＮ
【図１】
2004165863.tif 000003
【図２】
2004165863.tif 000004
【図３】
2004165863.tif 000005
【図４】
2004165863.tif 000006
【図５】
2004165863.tif 000007
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
読み取り入力したｓＹＣＣ−ＪＰＥＧ画像データを記憶するカラー画像記憶部と、通信回線よりカラー画像データを送信するカラー画像送信部と、前記記憶したｓＹＣＣ−ＪＰＥＧ画像データに含まれる実画像データ以外の種々の情報を抽出する手段とを備え、実画像データを送信する前に、前記抽出した種々の情報を画像に変換して、送信するようにしたことを特徴とするカラー画像送信装置。
【請求項２】
前記実画像データが複数枚の画像を一度に送信するものである場合に、前記抽出した種々の情報に前記画像についての枚数の情報を含むことを特徴とする請求項１記載のカラー画像送信装置。
【手続補正２】
【補正対象書類名】明細書
【補正対象項目名】００１０
【補正方法】変更
【補正の内容】
【００１０】
この発明のカラー画像送信装置において、前記実画像データが複数枚の画像を一度に送信するものである場合に、前記抽出した種々の情報に前記画像についての枚数の情報を付加して送信することができる。




【手続補正書】
【提出日】平成15年9月29日(2003.9.29)
【手続補正１】
【補正対象書類名】明細書
【補正対象項目名】０００２
【補正方法】変更
【補正の内容】
【０００２】
【従来の技術】
一般に、カラー読取画像を送受信するカラーファクシミリには、他の装置、例えばデジタルカメラで撮影した画像データを通信回線を介してファクシミリ電送できるものがある。従来、デジタルカメラ等の画像データをファックス伝送するために、デジタルカメラの記憶メディアのスロットを、ファクシミリ装置に装備し、デジタルカメラ等で撮影したＹＣｂ  Ｃｒ  −ＪＰＥＧ画像データを、記録メディアから一旦メモリに読み出し、これをファクシミリ装置のメモリにＲＧＢ画像データとして展開した後、画像データの横幅が所定画素数になるように白画素を付加してから、再度Ｌａｂ−ＪＰＥＧ画像データに圧縮し、順次Ｔ８１にしたがって送信する技術が提案されている（例えば、特許文献１参照）。


【手続補正２】
【補正対象書類名】明細書
【補正対象項目名】００２５
【補正方法】変更
【補正の内容】
【００２５】
ステップＳＴ１９においては、相手先からのＣＦＲ信号（受信準備確認信号）を受信か否かを判定する。ＣＦＲ信号を受信の場合は、ステップＳＴ２０へ移行する。一方、ＣＦＲ信号受信でない場合は、ステップＳＴ２５へ移行する。ステップＳＴ２５においては、ＣＦＲ信号を受信しないまま、ステップＳＴ１７のＤＣＳ送信、ステップＳＴ１８のトレーニング送信を３回試行したか否かを判定する。３回試行でない場合は、ステップＳＴ１７へ戻る。そして再度、ＤＣＳ信号送信、トレーニング送信を行う。ＣＦＲ信号を受信しないまま、トレーニング送信を３回試行すると、ステップＳＴ２４へ移行し、回線断し、処理を終了する。ステップＳＴ２０においては、カラーデータ（ｓＹＣＣ−ＪＰＥＧ）を送信する。